(57)【要約】  本発明は、融合データ処理方法及び情報推薦システムを提供する。融合データ処理方法は、以下の内容を備える。情報推薦システムは、複数の異種データソースを取得する。情報推薦システムは、価値モデルセットを使用して複数の異種データソースを処理することにより、各異種データソースの統一評価指標を取得する。情報推薦システムは、融合戦略モデルの損失定量的評価指標を取得する。情報推薦システムは、各異種データソースの統一評価指標と損失定量的評価指標を融合戦略モデルに入力することにより、複数の異種データソースの融合ソート推薦結果を取得する。本発明の実施例は、制約下での複数の異種データのグローバルな最適な融合ソートの問題を効果的に解決することができる。
2021502651.tif 000002
【特許請求の範囲】
【請求項１】
価値モデルセットと融合戦略モデルを含む情報推薦システムに適用できる融合データ処理方法であって、
複数の異種データソースを取得するステップ１０１と、
前記価値モデルセットを使用して複数の異種データソースを処理することにより、各異種データソースの統一評価指標を取得するステップ１０２と、
前記融合戦略モデルの損失定量的評価指標を取得するステップ１０３と、
前記各異種データソースの統一評価指標と前記損失定量的評価指標を前記融合戦略モデルに入力することにより、複数の異種データソースの融合ソート推薦結果を取得するステップ１０４と、
を備えることを特徴とする融合データ処理方法。
【請求項２】
前記価値モデルセットを使用して複数の異種データソースを処理することにより、各異種データソースの統一評価指標を取得することは、
異種データソースのデータタイプと価値モデルとの間の対応関係を含む前記価値モデルセットを照会することにより、各異種データソースに対応する価値モデルを取得すること、
前記各異種データソースに対応する価値モデルに必要な特徴パラメーターを取得すること、
前記各異種データソースに対応する価値モデルに関連付けられた専用の予測器を確定すること、
前記各異種データソースの特徴パラメーターと前記価値モデルを前記専用の予測器に入力することにより、前記各異種データソースに対応する統一評価指標を取得すること、
を備える、
ことを特徴とする請求項１に記載の融合データ処理方法。
【請求項３】
前記融合戦略モデルの損失定量的評価指標を取得することは、
前記融合戦略モデルによって予め設定された推薦タスクを処理した推定事前結果を取得すること、
前記融合戦略モデルによって予め設定された推薦タスクを処理した実際事後結果を取得すること、
前記推定事前結果と前記実際事後結果に基づいて、前記融合戦略モデルの損失定量的評価指標を確定すること、
を備える、
ことを特徴とする請求項１又は２に記載の融合データ処理方法。
【請求項４】
前記融合戦略モデルによって予め設定された推薦タスクを処理した推定事前結果を取得することは、
前記融合戦略モデルによって予め設定された推薦タスクを処理するために必要な特徴パラメーターを取得すること、
前記特徴パラメーターと前記融合戦略モデルを予め設定された予測器に入力することにより、前記融合戦略モデルによって予め設定された推薦タスクを処理した推定事前結果を取得すること、
を備える、
ことを特徴とする請求項３に記載の融合データ処理方法。
【請求項５】
前記各異種データソースの統一評価指標と前記損失定量的評価指標を前記融合戦略モデルに入力することにより、複数の異種データソースの融合ソート推薦結果を取得することは、
前記各異種データソースの統一評価指標に基づいてソートセットを生成し、前記ソートセットには複数のデータソースシーケンスが含まれ、各データソースシーケンスには複数の異種データソースが含まれ、いかなる２つのデータソースシーケンスの中の異種データソースの順序は異なること、
前記融合戦略モデルの制約条件下で、前記ソートセットから最適な１つのソートを選択して、複数の異種データソースの融合ソート推薦結果とすること、
を備える、
ことを特徴とする請求項１〜４のいずれか一項に記載の融合データ処理方法。
【請求項６】
前記制約条件は、推薦結果には少なくとも１つの自然結果があること、広告の数は予め設定された数以上であること、推薦情報は全て不人気な情報又は全て人気のある情報ではないこと、一日内の自然結果の表示比率は予め設定された比率より大きいこと、の中のいずれか１つである、
ことを特徴とする請求項５に記載の融合データ処理方法。
【請求項７】
前記情報推薦システムはトレーニングデータベースと複数の価値モデルをさらに含み、前記情報推薦システムは、前記トレーニングデータベースのトレーニングデータを介して各価値モデルをトレーニングして、トレーニング済みの価値モデルを取得し、前記融合データ処理方法は、
トレーニング済みの価値モデル及び対応するデータタイプを取得するステップと、
取得したトレーニング済みの価値モデル及び対応するデータタイプに基づいて、前記価値モデルセットを生成するステップと、
をさらに備える、
ことを特徴とする請求項１〜６のいずれか一項に記載の融合データ処理方法。
【請求項８】
プロセッサ５０１と、実行可能なプログラムコードを格納するメモリ５０２と、を備える情報推薦システムであって、
前記プログラムコードが前記プロセッサによって実行されると、
前記プロセッサは、複数の異種データソースを取得し、価値モデルセットを使用して複数の異種データソースを処理することにより、各異種データソースの統一評価指標を取得し、融合戦略モデルの損失定量的評価指標を取得し、前記各異種データソースの統一評価指標と前記損失定量的評価指標を前記融合戦略モデルに入力することにより、複数の異種データソースの融合ソート推薦結果を取得する、
ことを特徴とする情報推薦システム。
【請求項９】
前記価値モデルセットを使用して複数の異種データソースを処理することにより、各異種データソースの統一評価指標を取得するという点で、
前記プログラムコードが前記プロセッサによって実行されると、前記プロセッサは、異種データソースのデータタイプと価値モデルとの間の対応関係を含む価値モデルセットを照会することにより、各異種データソースに対応する価値モデルを取得し、前記各異種データソースに対応する価値モデルに必要な特徴パラメーターを取得し、前記各異種データソースに対応する価値モデルに関連付けられた専用の予測器を確定し、前記各異種データソースの特徴パラメーターと前記価値モデルを専用の予測器に入力することにより、前記各異種データソースに対応する統一評価指標を取得する、
ことを特徴とする請求項８に記載の情報推薦システム。
【請求項１０】
前記融合戦略モデルの損失定量的評価指標を取得するという点で、
前記プログラムコードが前記プロセッサによって実行されると、前記プロセッサは、前記融合戦略モデルによって予め設定された推薦タスクを処理した推定事前結果を取得し、前記融合戦略モデルによって予め設定された推薦タスクを処理した実際事後結果を取得し、前記推定事前結果と前記実際事後結果に基づいて、前記融合戦略モデルの損失定量的評価指標を確定する、
ことを特徴とする請求項８又は９に記載の情報推薦システム。
【請求項１１】
前記融合戦略モデルによって予め設定された推薦タスクを処理した推定事前結果を取得するという点で、
前記プログラムコードが前記プロセッサによって実行されると、前記プロセッサは、前記融合戦略モデルによって予め設定された推薦タスクを処理するために必要な特徴パラメーターを取得し、前記特徴パラメーターと前記融合戦略モデルを予め設定された予測器に入力することにより、前記融合戦略モデルによって予め設定された推薦タスクを処理した推定事前結果を取得する、
ことを特徴とする請求項１０記載の情報推薦システム。
【請求項１２】
前記各異種データソースの統一評価指標と前記損失定量的評価指標を前記融合戦略モデルに入力することにより、前記複数の異種データソースの融合ソート推薦結果を取得するという点で、
前記プログラムコードが前記プロセッサによって実行されると、前記プロセッサは、各異種データソースの統一評価指標に基づいてソートセットを生成し、前記融合戦略モデルの制約下で、前記ソートセットから最適な１つのソートを選択して、前期複数の異種データソースの融合ソート推薦結果とし、
前記ソートセットには複数のデータソースシーケンスが含まれ、各データソースシーケンスには複数の異種データソースが含まれ、いかなる２つのデータソースシーケンスの中の異種データソースの順序は異なる、
ことを特徴とする請求項８〜１１のいずれか一項に記載の情報推薦システム。
【請求項１３】
前記制約条件は、推薦結果には少なくとも１つの自然結果があること、広告の数は予め設定された数以上であること、推薦情報は全て不人気な情報又は全て人気のある情報ではないこと、一日内の自然結果の表示比率は予め設定された比率より大きいこと、の中のいずれか１つである、
ことを特徴とする請求項１２記載の情報推薦システム。
【請求項１４】
前記情報推薦システムはトレーニングデータベースと複数の価値モデルをさらに含み、前記情報推薦システムは、前記トレーニングデータベースのトレーニングデータを介して各価値モデルをトレーニングして、トレーニング済みの価値モデルを取得し、
前記プログラムコードが前記プロセッサによって実行されると、前記プロセッサは、さらに、前記トレーニング済みの価値モデル及び対応するデータタイプを取得し、取得したトレーニング済みの価値モデル及び対応するデータタイプに基づいて、前記価値モデルセットを生成する、
ことを特徴とする請求項８〜１３のいずれか一項に記載の情報推薦システム。
【請求項１５】
コンピュータープログラムを格納する非一時的なコンピューター可読記憶媒体であって、
前記コンピュータープログラムがプロセッサによって実行されると、前記プロセッサは、複数の異種データソースを取得し、価値モデルセットを使用して複数の異種データソースを処理することにより、各異種データソースの統一評価指標を取得し、融合戦略モデルの損失定量的評価指標を取得し、各異種データソースの統一評価指標と損失定量的評価指標を融合戦略モデルに入力することにより、複数の異種データソースの融合ソート推薦結果を取得する、
ことを特徴とする非一時的なコンピューター可読記憶媒体。
【発明の詳細な説明】
【技術分野】
【０００１】
本発明は、機械学習の技術分野に関し、さらに具体的に、融合データ処理方法及び情報推薦システムに関する。
【背景技術】
【０００２】
異種データソースの混合配置とは、並べ替えを表示するリスト（検索リスト、推薦リストなど）において、異なる製品目標又はユーザーエクスペリエンスを実現するために、複数のデータソースを１つのリストに融合することを指す。例えば、検索において、自然結果と広告を混合配置して、ユーザーエクスペリエンスを満足する。リスト表示を有する製品において、表示位置が制限されており、複数の異種データソースを適切に融合してグローバルな最適化を実現することは解決しようとする問題である。
【発明の概要】
【０００３】
本発明の実施形態は、融合データ処理方法及び情報推薦システムを提供する。価値モデルによって複数のデータソースを調整し、融合戦略モデルによって融合ソートを実行して、制約下での複数の異種データのグローバルな最適な融合ソートの問題を効果的に解決することができる。
【０００４】
第一態様において、本発明の実施形態は、融合データ処理方法を提供する。融合データ処理方法は、価値モデルセットと融合戦略モデルを含む情報推薦システムに適用できる。融合データ処理方法は、以下の内容を備える。
【０００５】
複数の異種データソースを取得する。価値モデルセットを使用して複数の異種データソースを処理することにより、各異種データソースの統一評価指標を取得する。融合戦略モデルの損失定量的評価指標を取得する。各異種データソースの統一評価指標と損失定量的評価指標を融合戦略モデルに入力することにより、複数の異種データソースの融合ソート推薦結果を取得する。
【０００６】
第二態様において、本発明の実施形態は、情報推薦システムを提供する。情報推薦システムは、プロセッサと、実行可能なプログラムコードを格納するメモリと、を備え、プログラムコードがプロセッサによって実行されると、プロセッサは、複数の異種データソースを取得し、価値モデルセットを使用して複数の異種データソースを処理することにより、各異種データソースの統一評価指標を取得し、融合戦略モデルの損失定量的評価指標を取得し、各異種データソースの統一評価指標と損失定量的評価指標を融合戦略モデルに入力することにより、複数の異種データソースの融合ソート推薦結果を取得する。
【０００７】
第三態様において、本発明の実施形態は、非一時的なコンピューター可読記憶媒体を提供する。非一時的なコンピューター可読記憶媒体はコンピュータープログラムを格納し、コンピュータープログラムがプロセッサによって実行されると、プロセッサは、複数の異種データソースを取得し、価値モデルセットを使用して複数の異種データソースを処理することにより、各異種データソースの統一評価指標を取得し、融合戦略モデルの損失定量的評価指標を取得し、各異種データソースの統一評価指標と損失定量的評価指標を融合戦略モデルに入力することにより、複数の異種データソースの融合ソート推薦結果を取得する。
【０００８】
上述したように、複数の異種データソースを取得し、価値モデルセットを使用して複数の異種データソースを処理することにより、各異種データソースの統一評価指標を取得し、融合戦略モデルの損失定量的評価指標を取得し、各異種データソースの統一評価指標と損失定量的評価指標を融合戦略モデルに入力することにより、複数の異種データソースの融合ソート推薦結果を取得する。従って、価値モデルによって複数のデータソースを調整し、融合戦略モデルによって融合ソートを実行して、制約下での複数の異種データのグローバルな最適な融合ソートの問題を効果的に解決することができる。
【図面の簡単な説明】
【０００９】
以下、本願の実施形態に係わる図面を簡単に紹介する。
【図１−１】図１−１は、本発明の実施形態に係わる融合データ処理方法を示すフローチャートである。
【図１−２】図１−２は、本発明の実施形態に係わる情報推薦システムのシステムアーキテクチャーを示すの概略図である。
【図２】図２は、本発明の実施形態に係わる融合データ処理方法を示すフローチャートである。
【図３】図３は、本発明の実施形態に係わる融合データ処理方法を示すフローチャートである。
【図４】図４は、本発明の実施形態に係わる融合データ処理方法を示すフローチャートである。
【図５】図５は、本発明の実施形態に係わる情報推薦システムの構造を示す概略図である。
【図６】図６は、本発明の実施形態に係わる融合データ処理装置の機能ユニットを示すブロック図である。
【発明を実施するための形態】
【００１０】
当業者が本発明をよりよく理解できるように、以下、添付図面を参照しながら、本発明の実施形態を明確且つ完全に説明する。明らかに、説明された実施形態は、本願の実施形態の一部にすぎず、すべての実施形態ではない。創造的な努力なしに本開示の実施形態に基づいて当業者によって得られる他のすべての実施形態は、本開示の保護範囲に含まれる。
【００１１】
本願の明細書、特許請求の範囲及び図面で使用される用語「第一」、「第二」などは、特定の順序を説明するために用いられなく、異なる対象を区別するために用いられる。用語「含む」、「有する」及びそれらの変形は、非排他的包含を網羅することを意図する。例えば、一連のステップ又はユニットを含むプロセス、方法、システム、製品、又は装置は、リストされたステップ又はユニットに限定されず、選択的に、リストされていない他のステップ又はユニットを含むことができ、又は、選択的に、これらのプロセス、方法、製品、又はデバイスに固有する他のステップ又はユニットを含むことができる。
【００１２】
本明細書で言及される「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的および暗黙的に理解される。
【００１３】
図１−１は、本発明の実施形態に係わる融合データ処理方法を示すフローチャートである。この方法は、情報推薦システムに適用される。情報推薦システムは、価値モデルセット（ｖａｌｕｅ-ｍｏｄｅ   ｓｅｔ）と融合戦略モデル（ｆｕｓｉｏｎ-ｓｔｒａｔｅｇｙ  ｍｏｄｅｌ）を含む。図１−１に示されたように、この方法は、ブロック１０１の操作から始まる。
【００１４】
ブロック１０１で、複数の異種データソースを取得する。
【００１５】
ブロック１０２で、価値モデルセットを使用して複数の異種データソースを処理することにより、各異種データソースの統一評価指標を取得する。
【００１６】
ブロック１０３で、融合戦略モデルの損失定量的評価指標を取得する。
【００１７】
ブロック１０４で、各異種データソースの統一評価指標と損失定量的評価指標を融合戦略モデルに入力することにより、複数の異種データソースの融合ソート推薦結果を取得する。
【００１８】
上述したように、複数の異種データソースを取得し、価値モデルセットを使用して複数の異種データソースを処理することにより、各異種データソースの統一評価指標を取得し、融合戦略モデルの損失定量的評価指標を取得し、各異種データソースの統一評価指標と損失定量的評価指標を融合戦略モデルに入力することにより、複数の異種データソースの融合ソート推薦結果を取得する。従って、価値モデルによって複数のデータソースを調整し、融合戦略モデルによって融合ソートを実行して、制約下での複数の異種データのグローバルな最適な融合ソートの問題を効果的に解決することができる。
【００１９】
一実施形態では、価値モデルセットを使用して複数の異種データソースを処理することにより、各異種データソースの統一評価指標を取得することは、以下の内容を含む。
【００２０】
異種データソースのデータタイプと価値モデルとの間の対応関係を含む価値モデルセットを照会することにより、各異種データソースに対応する価値モデルを取得する。各異種データソースに対応する価値モデルに必要な特徴パラメーターを取得する。各異種データソースに対応する価値モデルに関連付けられた専用の予測器を確定する。各異種データソースの特徴パラメーターと価値モデルを専用の予測器に入力することにより、各異種データソースに対応する統一評価指標を取得する。
【００２１】
一実施形態では、以下のように融合戦略モデルの損失定量的評価指標を取得する。
【００２２】
融合戦略モデルによって予め設定された推薦タスクを処理した推定事前結果を取得する。融合戦略モデルによって予め設定された推薦タスクを処理した実際事後結果を取得する。推定事前結果と実際事後結果に基づいて、融合戦略モデルの損失定量的評価指標を確定する。
【００２３】
「推定事前結果」とは、現在把握している情報に基づいて、将来に発生できる情況を説明することである。事前結果を推定する目的は、多い正確、有用、可能な結果を生成することに役立ち、入力したデータが不完備、不確実、又は不安定しても、可能な実施例において、予測器、機能パラメータ、目標モデルに基づいて推定事前結果を獲得することができる。
【００２４】
「実際事後結果」とは、特定の状況に関連する証拠を検討した後に獲得した実際の情報を指す。一実装形態では、実際事後結果は、インタラクティブフィードバックされるユーザーの数量と推薦されるユーザーの総数の比率であることができる。
【００２５】
一実施形態では、以下のように融合戦略モデルによって予め設定された推薦タスクを処理した推定事前結果を取得する。
【００２６】
融合戦略モデルによって予め設定された推薦タスクを処理するために必要な特徴パラメーターを取得する。特徴パラメーターと融合戦略モデルを予め設定された予測器に入力することにより、融合戦略モデルによって予め設定された推薦タスクを処理した推定事前結果を取得する。
【００２７】
一実装形態では、各異種データソースの統一評価指標と損失定量的評価指標を融合戦略モデルに入力することにより、複数の異種データソースの融合ソート推薦結果を取得することは、以下の内容を含む。
【００２８】
各異種データソースの統一評価指標に基づいてソートセットを生成する。ソートセットには複数のデータソースシーケンスが含まれ、各データソースシーケンスには複数の異種データソースが含まれる。いかなる２つのデータソースシーケンスの中の異種データソースの順序は異なる。
【００２９】
融合戦略モデルの制約条件下で、ソートセットから最適な１つのソートを選択して、複数の異種データソースの融合ソート推薦結果とする。
【００３０】
一実装形態では、制約条件は、例えば、次の中のいずれか１つである。推薦結果には少なくとも１つの自然結果があり、広告の数は予め設定された数以上であり、推薦情報は全て不人気な情報又は全て人気のある情報ではなく、一日内の自然結果の表示比率は予め設定された比率より大きいなどである。
【００３１】
一実装形態では、情報推薦システムは、トレーニングデータベースと複数の価値モデルをさらに含む。情報推薦システムは、トレーニングデータベースのトレーニングデータを介して各価値モデルをトレーニングして、トレーニング済みの価値モデルを取得するために用いられる。この方法はさらに以下の内容を含む。
【００３２】
トレーニング済みの価値モデル及び対応するデータタイプを獲得する。
【００３３】
獲得したトレーニング済みの価値モデル及び対応するデータタイプに基づいて、価値モデルセットを生成する。
【００３４】
図１−１に示された融合データ処理方法は情報推薦システムに適用される。
【００３５】
一実装形態では、情報推薦システムは第一システム及び第二システムを含む。第一システムはクラウドコンピューティングリソース又はサーバークラスターであることができ、第二システムはサーバークラスターであることができる。図１−１に示された融合データ処理方法は、第一システム、第二システム、第一システム及び第二システムの三者のうちの１つによって実行され、これに対して限定しない。
【００３６】
図１−２は、本発明の実施形態に係わる情報推薦システム１００のシステムアーキテクチャーを示すの概略図である。情報推薦システム１００の物理的形態は、サーバクラスター（ｓｅｒｖｅｒ  ｃｌｕｓｔｅｒ）及び/又はクラウドコンピューティングリソース（ｃｌｏｕｄ  ｃｏｍｐｕｔｉｎｇ  ｒｅｓｏｕｒｃｅｓ）であることができ、これは本明細書では限定されない。情報推薦システム１００は第一システム１０を含む。第一システム１０はクラウドコンピューティングリソース又はサーバークラスターであることができる。第一システム１０は、価値モデルセット１１、融合戦略モデル１２及び予測器１３を含む。価値モデルセット１１及び融合戦略モデル１２は、リアルタイムのオンライン推薦タスクを処理するために用いられる。予測器１３は、融合戦略モデル１２と推薦タスクに関連する参照特徴データを組み合わせて推定事前結果を生成するために用いられる。
【００３７】
一実装形態では、情報推薦システム１００は、第二システム２０をさらに備える。第二システム２０はサーバークラスターであることができる。第一システム１０はクラウドコンピューティングリソース又はサーバークラスターであることができる。第二システム２０は、トレーニングデータベース２１及び複数の価値モデル２２を含む。第二システム２０は、トレーニングデータベース２１のトレーニングデータを定期的に使用して、複数の価値モデル２２をトレーニングし、トレーニングされたターゲット価値モデル１１を取得し、トレーニングされたターゲット価値モデル１１を第一システム１０にプッシュして使用する。
【００３８】
一実装形態では、第一システム１０はオンラインシステムであることができ、第二システムはオフラインシステムであることができる。
【００３９】
一般的な設計では、２種類の融合ソーティング（ｆｕｓｉｏｎ  ｓｏｒｔｉｎｇ）がある。
【００４０】
１．固定位置ソーティング（Ｆｉｘｅｄ-ｌｏｃａｔｉｏｎ  ｓｏｒｔｉｎｇ）：検索結果ページには、広告と自然結果を含む２種類のデータソースがある。最初のいくつかの位置は固定広告であり、他の位置は自然結果である。固定位置ソーティングは、個別化とグローバルな最適化を達成し難い欠点がある。
【００４１】
２．人工規則位置分配（Ｍａｎｕａｌ-ｒｕｌｅ  ｌｏｃａｔｉｏｎ  ａｌｌｏｃａｔｉｏｎ）：いくつかの人工介入方法により、異なるデータソースの位置を動的に分配する。例えば、一部のユーザーが広告を嫌い場合、検索結果ページの広告を減らし、これに反すると、検索結果ページの広告を増加する。固定位置ソーティングに比べて、人工規則動的位置分配はいくつかの利点があるが、個人的な経験に依存するので、数次元しか関与できなく、細かく制御できず、グローバルな最適化を達成し難い。
【００４２】
上記を考慮して、本発明の実施形態では、融合データ処理方法を提供する。この方法では、先ず、第一システムは、複数の異種データソースを取得する。次に、第一システムは、価値モデルセットを使用して複数の異種データソースを処理することにより、各異種データソースの統一評価指標を取得する。その後、第一システムは、融合戦略モデルの損失定量的評価指標を取得する。最後に、第一システムは、各異種データソースの統一評価指標と損失定量的評価指標を融合戦略モデルに入力することにより、複数の異種データソースの融合ソート推薦結果を取得する。第一システムは、価値モデルによって複数のデータソースを調整し、融合戦略モデルによって融合ソートを実行して、制約下での複数の異種データのグローバルな最適な融合ソートの問題を効果的に解決することができる。
【００４３】
以下、添付された図面を参照して、本発明の実施形態を説明する。
【００４４】
図２は、本発明の実施形態に係わる融合データ処理方法を示すフローチャートである。この方法は、第一システムを含む情報推薦システムに適用できる。第一システムは、価値モデルセットと融合戦略モデルを含む。図２に示されたように、融合データ処理方法は、ブロック２０１の操作から始まる。
【００４５】
ブロック２０１：第一システムは、複数の異種データソースを取得する。
【００４６】
異種データソース（即ち、異なるデータソース）は、画像、ウェブページアイコン、ウェブページフレームなどを含む。
【００４７】
広義に解釈すると、異種データソースは、異なるデータ構造、アクセス方法、又はフォームの中の少なくとも１つを有する複数のデータソースである。
【００４８】
ブロック２０２：第一システムは、価値モデルセットを使用して複数の異種データソースを処理することにより、各異種データソースの統一評価指標を取得する。
【００４９】
価値モデルセットは、複数の価値モデルを含む。第二システムは、サンプルデータに応じて複数の価値モデルをトレーニングすることができる。
【００５０】
ブロック２０３：第一システムは、融合戦略モデルの損失定量的評価指標を取得する。
【００５１】
損失定量的評価指標は融合戦略モデルの予測品質を評価するために用いられる。
【００５２】
ブロック２０４：第一システムは、各異種データソースの統一評価指標と損失定量的評価指標を融合戦略モデルに入力することにより、複数の異種データソースの融合ソート推薦結果を取得する。
【００５３】
本出願の実施形態において、第一システムは、先ず、複数の異種データソースを取得し、次に、第一システムは価値モデルセットを使用して複数の異種データソースを処理することにより、各異種データソースの統一評価指標を取得し、次に、第一システムは融合戦略モデルの損失定量的評価指標を取得し、最後に、第一システムは各異種データソースの統一評価指標と損失定量的評価指標を融合戦略モデルに入力することにより、複数の異種データソースの融合ソート推薦結果を取得する。第一システムは、価値モデルによって複数のデータソースを調整し、融合戦略モデルによって融合ソートを実行して、制約下での複数の異種データのグローバルな最適な融合ソートの問題を効果的に解決することができる。
【００５４】
一実装形態では、第一システムは、価値モデルセットを使用して複数の異種データソースを処理することにより、各異種データソースの統一評価指標を取得することは、以下の内容を含む。
【００５５】
第一システムは、異種データソースのデータタイプと価値モデルとの間の対応関係を含む価値モデルセットを照会することにより、各異種データソースに対応する価値モデルを取得する。第一システムは、各異種データソースに対応する価値モデルに必要な特徴パラメーターを取得する。第一システムは、各異種データソースに対応する価値モデルに関連付けられた専用の予測器を確定する。第一システムは、各異種データソースの特徴パラメーターと価値モデルを専用の予測器に入力することにより、各異種データソースに対応する統一評価指標を取得する。
【００５６】
専用の予測器を特定のユーザーレベルに関連付けるか、特定のユーザーシナリオレベルにさらに関連付けて、専用の予測を実現することができ、精度が高い。
【００５７】
上述したように、本実施形態において、第一システムは、各異種データソースに対応する専用予測器を見つけることができ、専用予測器を使用して、各異種データソースに対応する統一評価指標を確定する。専用予測器はプリセットツールであるので、精度が高く、計算が安定であり、統一評価指標の精度と安定性を向上させる。
【００５８】
一実装形態では、情報推薦システムは、第二システムをさらに含む。第一システムは、以下のように融合戦略モデルの損失定量的評価指標を取得する。
【００５９】
第一システムは、融合戦略モデルによって予め設定された推薦タスクを処理した推定事前結果を取得する。第一システムは、第二システムから、融合戦略モデルによって予め設定された推薦タスクを処理した実際事後結果を受け取る。第一システムは、推定事前結果と実際事後結果に基づいて、融合戦略モデルの損失定量的評価指標を確定する。
【００６０】
予め設定された推薦タスクは、推薦されるターゲットアイテムの推薦タスクである。例えば、ブラウザアプリケーションシナリオでは、第一システムがニュースをプッシュするとき、広告をプッシュすることを必要とする場合、広告の推薦タスクが生成される。
【００６１】
上述したように、本実施形態において、融合戦略モデルの損失定量的評価指標は、推定事前結果と実際事後結果に基づいて確定され、実際のユーザーグループの使用習慣と一致し、精度が高い 。
【００６２】
一実装形態では、第一システムは、以下のように融合戦略モデルによって予め設定された推薦タスクを処理した推定事前結果を取得する。
【００６３】
第一システムは、融合戦略モデルによって予め設定された推薦タスクを処理するために必要な特徴パラメーターを取得する。第一システムは、特徴パラメーターと融合戦略モデルを予め設定された予測器に入力することにより、融合戦略モデルによって予め設定された推薦タスクを処理した推定事前結果を取得する。
【００６４】
特徴パラメーターは、ユーザーのポートレート情報（好み、興味、地理位置など）、推薦されるアイテムの情報（キーワード、カテゴリなど）、シナリオ情報（休日、旅行など） を含む。実際事後結果は、インタラクティブフィードバックされるユーザーの数量と推薦されるユーザーの総数の比率であることができる。
【００６５】
例えば、ターゲット推薦タスクの推薦アイテムが１００人のユーザーに推薦され、そのうち１０人が「はい」をクリックすると、ターゲット推薦タスクの実際事後結果は１０/１００、つまり０．１である。
【００６６】
本実施形態において、推定事前結果は第一システムの予測器によって取得でき、推定するためにリアルタイムで計算モデルを構築することを必要としなく、計算効率と精度が高い。
【００６７】
一実装形態では、第一システムは、各異種データソースの統一評価指標と損失定量的評価指標を融合戦略モデルに入力することにより、複数の異種データソースの融合ソート推薦結果を取得することは、以下の内容を含む。
【００６８】
第一システムは、各異種データソースの統一評価指標に基づいてソートセットを生成する。ソートセットには複数のデータソースシーケンスが含まれ、各データソースシーケンスには複数の異種データソースが含まれる。いかなる２つのデータソースシーケンスの中の異種データソースの順序は異なる。第一システムは、融合戦略モデルの制約条件下で、ソートセットから最適な１つのソートを選択して、複数の異種データソースの融合ソート推薦結果とする。
【００６９】
融合戦略モデルには、制約条件と位置競合制御戦略が含まれる。制約条件は、例えば、次の中のいずれか１つである。推薦結果には少なくとも１つの自然結果があり、広告の数は予め設定された数以上であり、推薦情報は全て不人気な情報又は全て人気のある情報ではなく、一日内の自然結果の表示比率は予め設定された比率より大きいなどである。
【００７０】
ソートセットから選択された最適なソートは、融合戦略モデルの制約条件を満たすソートであることができる。
【００７１】
本実施形態において、第一システムは、融合戦略モデルを使用して、予め設定された制約条件に基づいて、複数の候補データソースシーケンスから最適なデータソースシーケンスを選択して、選択精度を向上させる。
【００７２】
一実装形態では、情報推薦システムは、トレーニングデータベースと複数の価値モデルを含む第二システムをさらに含む。第二システムは、トレーニングデータベースのトレーニングデータを介して各価値モデルをトレーニングして、トレーニング済みの価値モデルを取得するために用いられる。この方法はさらに以下の内容を含む。
【００７３】
第一システムは、第二システムからトレーニング済みの価値モデル及び対応するデータタイプを受信する。第一システムは、受信したトレーニング済みの価値モデル及び対応するデータタイプに基づいて、価値モデルセットを生成する。
【００７４】
本実施形態において、第二システムは、価値モデルを更新し、且つ更新された価値モデルを第一システムにプッシュして使用するようにすることができ、これにより情報推薦システムの安定性を向上させる。
【００７５】
図２に示された実施形態と一致し、図３を参照してください。図３は、本発明の実施形態に係わる融合データ処理方法を示すフローチャートである。この方法は、情報推薦システムに適用できる。情報推薦システムは、第一システムを含む。第一システムは、価値モデルセットと融合戦略モデルを含む。図３に示されたように、融合データ処理方法は、ブロック３０１の操作から始まる。
【００７６】
ブロック３０１：第一システムは、複数の異種データソースを取得する。
【００７７】
ブロック３０２：第一システムは、異種データソースのデータタイプと価値モデルとの間の対応関係を含む価値モデルセットを照会することにより、各異種データソースに対応する価値モデルを取得する。
【００７８】
ブロック３０３：第一システムは、各異種データソースに対応する価値モデルが必要とする特徴パラメータを取得する。
【００７９】
ブロック３０４：第一システムは、各異種データソースに対応する価値モデルに関連付けられた専用予測器を確定する。
【００８０】
ブロック３０５：第一システムは、各異種データソースの特徴パラメータ及び価値モデルを専用予測器に入力することにより、各異種データソースに対応する統一評価指標を取得する。
【００８１】
ブロック３０６：第一システムは、融合戦略モデルの損失定量的評価指標を取得する。
【００８２】
ブロック３０７：第一システムは、各異種データソースの統一評価指標と損失定量的評価指標を融合戦略モデルに入力することにより、複数の異種データソースの融合ソート推薦結果を取得する。
【００８３】
本出願の実施形態において、第一システムは、先ず、複数の異種データソースを取得し、次に、第一システムは、価値モデルセットを使用して複数の異種データソースを処理することにより、各異種データソースの統一評価指標を取得し、次に、第一システムは、融合戦略モデルの損失定量的評価指標を取得し、最後に、第一システムは、各異種データソースの統一評価指標と損失定量的評価指標を融合戦略モデルに入力することにより、複数の異種データソースの融合ソート推薦結果を取得する。第一システムは、価値モデルによって複数のデータソースを調整し、融合戦略モデルによって融合ソートを実行して、制約下での複数の異種データのグローバルな最適な融合ソートの問題を効果的に解決することができる。
【００８４】
さらに、第一システムは、各異種データソースに対応する専用予測器を見つけることができ、専用予測器を使用して、各異種データソースに対応する統一評価指標を確定する。専用予測器はプリセットツールであるので、精度が高く、計算が安定であり、統一評価指標の精度と安定性を向上させる。
【００８５】
図２に示された実施形態と一致し、図４を参照してください。図４は、本発明の実施形態に係わる融合データ処理方法を示すフローチャートである。この方法は、情報推薦システムに適用できる。情報推薦システムは、第一システムを含む。第一システムは、価値モデルセットと融合戦略モデルを含む。図４に示されたように、融合データ処理方法は、ブロック４０１の操作から始まる。
【００８６】
ブロック４０１：第一システムは、複数の異種データソースを取得する。
【００８７】
ブロック４０２：第一システムは、異種データソースのデータタイプと価値モデルとの間の対応関係を含む価値モデルセットを照会することにより、各異種データソースに対応する価値モデルを取得する。
【００８８】
ブロック４０３：第一システムは、各異種データソースに対応する価値モデルが必要とする特徴パラメータを取得する。
【００８９】
ブロック４０４：第一システムは、各異種データソースに対応する価値モデルに関連付けられた専用予測器を確定する。
【００９０】
ブロック４０５：第一システムは、各異種データソースの特徴パラメータ及び価値モデルを専用予測器に入力することにより、各異種データソースに対応する統一評価指標を取得する。
【００９１】
ブロック４０６：第一システムは、融合戦略モデルによって予め設定された推薦タスクを処理した推定事前結果を取得する。
【００９２】
ブロック４０７：第一システムは、第二システムから融合戦略モデルによって予め設定された推薦タスクを処理した実際事後結果を受け取る。
【００９３】
ブロック４０８：第一システムは、推定事前結果と実際事後結果に基づいて、融合戦略モデルの損失定量的評価指標を確定する。
【００９４】
Ｓブロック４０９：第一システムは、各異種データソースの統一評価指標と損失定量的評価指標を融合戦略モデルに入力することにより、複数の異種データソースの融合ソート推薦結果を取得する。
【００９５】
本出願の実施形態において、第一システムは、先ず、複数の異種データソースを取得し、次に、第一システムは、価値モデルセットを使用して複数の異種データソースを処理することにより、各異種データソースの統一評価指標を取得し、次に、第一システムは、融合戦略モデルの損失定量的評価指標を取得し、最後に、第一システムは、各異種データソースの統一評価指標と損失定量的評価指標を融合戦略モデルに入力することにより、複数の異種データソースの融合ソート推薦結果を取得する。第一システムは、価値モデルによって複数のデータソースを調整し、融合戦略モデルによって融合ソートを実行して、制約下での複数の異種データのグローバルな最適な融合ソートの問題を効果的に解決することができる。
【００９６】
さらに、第一システムは、各異種データソースに対応する専用予測器を見つけることができ、専用予測器を使用して、各異種データソースに対応する統一評価指標を確定する。専用予測器はプリセットツールであるので、精度が高く、計算が安定であり、統一評価指標の精度と安定性を向上させる。
【００９７】
さらに、融合戦略モデルの損失定量的評価指標は、推定事前結果と実際事後結果に基づいて確定され、実際のユーザーグループの使用習慣と一致し、精度が高い 。
【００９８】
さらに、推定事前結果は第一システムの予測器によって取得でき、推定するためにリアルタイムで計算モデルを構築することを必要としなく、計算効率と精度が高い。
【００９９】
さらに、第一システムは、融合戦略モデルを使用して、予め設定された制約条件に基づいて、複数の候補データソースシーケンスから最適なデータソースシーケンスを選択して、選択精度を向上させる。
【０１００】
図２〜図４に示された実施形態と一致し、図５を参照してください。図５は、本発明の実施形態に係わる情報推薦システムの構造を示す概略図である。１つ以上のアプリケーションとオペレーティングシステムが情報推薦システムで実行される。図５に示されたように、情報推薦システムは、プロセッサ５０１、メモリ５０２、通信インターフェース５０３及び１つ以上のプログラムコードを含む。１つ以上のプログラムコードは、前述の１つ以上のアプリケーションとは異なる。メモリは、１つ以上のプログラムコードを格納するために用いられる。１つ以上のプログラムコードは、プロセッサによって実行され、以下の操作を実行するために用いられる命令を含む。
【０１０１】
複数の異種データソースを取得する。価値モデルセットを使用して複数の異種データソースを処理することにより、各異種データソースの統一評価指標を取得する。融合戦略モデルの損失定量的評価指標を取得する。各異種データソースの統一評価指標と損失定量的評価指標を融合戦略モデルに入力することにより、複数の異種データソースの融合ソート推薦結果を取得する。
【０１０２】
本出願の実施形態において、先ず、複数の異種データソースを取得し、次に、価値モデルセットを使用して複数の異種データソースを処理することにより、各異種データソースの統一評価指標を取得し、次に、融合戦略モデルの損失定量的評価指標を取得し、最後に、各異種データソースの統一評価指標と損失定量的評価指標を融合戦略モデルに入力することにより、複数の異種データソースの融合ソート推薦結果を取得する。情報推薦システムは、価値モデルによって複数のデータソースを調整し、融合戦略モデルによって融合ソートを実行して、制約下での複数の異種データのグローバルな最適な融合ソートの問題を効果的に解決することができる。
【０１０３】
一実施形態では、「価値モデルセットを使用して複数の異種データソースを処理することにより、各異種データソースの統一評価指標を取得する」という点で、プログラムの命令は、具体的に以下の操作を実行するために用いられる。
【０１０４】
異種データソースのデータタイプと価値モデルとの間の対応関係を含む価値モデルセットを照会することにより、各異種データソースに対応する価値モデルを取得する。各異種データソースに対応する価値モデルに必要な特徴パラメーターを取得する。各異種データソースに対応する価値モデルに関連付けられた専用の予測器を確定する。各異種データソースの特徴パラメーターと価値モデルを専用の予測器に入力することにより、各異種データソースに対応する統一評価指標を取得する。
【０１０５】
一実施形態では、「融合戦略モデルの損失定量的評価指標を取得する」という点で、プログラムの命令は、具体的に以下の操作を実行するために用いられる。
【０１０６】
融合戦略モデルによって予め設定された推薦タスクを処理した推定事前結果を取得する。融合戦略モデルによって予め設定された推薦タスクを処理した実際事後結果を取得する。推定事前結果と実際事後結果に基づいて、融合戦略モデルの損失定量的評価指標を確定する。
【０１０７】
一実施形態では、「融合戦略モデルによって予め設定された推薦タスクを処理した推定事前結果を取得する」という点で、プログラムの命令は、具体的に以下の操作を実行するために用いられる。
【０１０８】
融合戦略モデルによって予め設定された推薦タスクを処理するために必要な特徴パラメーターを取得する。特徴パラメーターと融合戦略モデルを予め設定された予測器に入力することにより、融合戦略モデルによって予め設定された推薦タスクを処理した推定事前結果を取得する。
【０１０９】
一実装形態では、「各異種データソースの統一評価指標と損失定量的評価指標を融合戦略モデルに入力することにより、複数の異種データソースの融合ソート推薦結果を取得する」という点で、プログラムの命令は、具体的に以下の操作を実行するために用いられる。
【０１１０】
各異種データソースの統一評価指標に基づいてソートセットを生成する。ソートセットには複数のデータソースシーケンスが含まれ、各データソースシーケンスには複数の異種データソースが含まれる。いかなる２つのデータソースシーケンスの中の異種データソースの順序は異なる。融合戦略モデルの制約条件下で、ソートセットから最適な１つのソートを選択して、複数の異種データソースの融合ソート推薦結果とする。
【０１１１】
一実装形態では、情報推薦システムは、トレーニングデータベースと複数の価値モデルをさらに含む。情報推薦システムは、トレーニングデータベースのトレーニングデータを介して各価値モデルをトレーニングして、トレーニング済みの価値モデルを取得するために用いられる。プログラムの命令は、具体的に以下の操作を実行するために用いられる。
【０１１２】
トレーニング済みの価値モデル及び対応するデータタイプを獲得する。獲得したトレーニング済みの価値モデル及び対応するデータタイプに基づいて、価値モデルセットを生成する。
【０１１３】
図６は、本発明の実施形態に係わる融合データ処理装置の機能ユニットを示すブロック図である。融合データ処理装置６００は、第一システムを含む情報推薦システムに適用できる。第一システムは、価値モデルセットと融合戦略モデルを含む。融合データ処理装置は、取得ユニット６０１と、使用ユニット６０２と、入力処理ユニット６０３と、を含む。
【０１１４】
取得ユニット６０１は、複数の異種データソースを取得するために用いられる。
【０１１５】
使用ユニット６０２は、価値モデルセットを使用して複数の異種データソースを処理することにより、各異種データソースの統一評価指標を取得するために用いられる。
【０１１６】
取得ユニット６０１は、さらに融合戦略モデルの損失定量的評価指標を取得するために用いられる。
【０１１７】
入力処理ユニット６０３は、各異種データソースの統一評価指標と損失定量的評価指標を融合戦略モデルに入力することにより、複数の異種データソースの融合ソート推薦結果を取得するために用いられる。
【０１１８】
本実施形態において、第一システムは、先ず、複数の異種データソースを取得し、次に、第一システムは、価値モデルセットを使用して複数の異種データソースを処理することにより、各異種データソースの統一評価指標を取得し、次に、第一システムは、融合戦略モデルの損失定量的評価指標を取得し、最後に、第一システムは、各異種データソースの統一評価指標と損失定量的評価指標を融合戦略モデルに入力することにより、複数の異種データソースの融合ソート推薦結果を取得する。第一システムは、価値モデルによって複数のデータソースを調整し、融合戦略モデルによって融合ソートを実行して、制約下での複数の異種データのグローバルな最適な融合ソートの問題を効果的に解決することができる。
【０１１９】
一実施形態では、「価値モデルセットを使用して複数の異種データソースを処理することにより、各異種データソースの統一評価指標を取得する」という点で、使用ユニット６０２は、具体的に、異種データソースのデータタイプと価値モデルとの間の対応関係を含む価値モデルセットを照会することにより、各異種データソースに対応する価値モデルを取得し、各異種データソースに対応する価値モデルに必要な特徴パラメーターを取得し、各異種データソースに対応する価値モデルに関連付けられた専用の予測器を確定し、各異種データソースの特徴パラメーターと価値モデルを専用の予測器に入力することにより、各異種データソースに対応する統一評価指標を取得するために用いられる。
【０１２０】
一実施形態では、情報推薦システムは、第二システムをさらに含む。「融合戦略モデルの損失定量的評価指標を取得する」という点で、取得ユニット６０１は、具体的に、融合戦略モデルによって予め設定された推薦タスクを処理した推定事前結果を取得し、第二システムから融合戦略モデルによって予め設定された推薦タスクを処理した実際事後結果を受け取り、推定事前結果と実際事後結果に基づいて融合戦略モデルの損失定量的評価指標を確定するために用いられる。
【０１２１】
一実施形態では、「融合戦略モデルによって予め設定された推薦タスクを処理した推定事前結果を取得する」という点で、取得ユニット６０１は、具体的に、融合戦略モデルによって予め設定された推薦タスクを処理するために必要な特徴パラメーターを取得し、特徴パラメーターと融合戦略モデルを予め設定された予測器に入力することにより、融合戦略モデルによって予め設定された推薦タスクを処理した推定事前結果を取得するために用いられる。
【０１２２】
一実装形態では、「第一システムは、各異種データソースの統一評価指標と損失定量的評価指標を融合戦略モデルに入力することにより、複数の異種データソースの融合ソート推薦結果を取得する」という点で、入力処理ユニット６０３は、具体的に、各異種データソースの統一評価指標に基づいてソートセットを生成し、融合戦略モデルの制約条件下で、ソートセットから最適な１つのソートを選択して、複数の異種データソースの融合ソート推薦結果とするために用いられる。ソートセットには複数のデータソースシーケンスが含まれ、各データソースシーケンスには複数の異種データソースが含まれ、いかなる２つのデータソースシーケンスの中の異種データソースの順序は異なる。
【０１２３】
一実装形態では、情報推薦システムは、トレーニングデータベースと複数の価値モデルを含む第二システムをさらに含む。第二システムは、トレーニングデータベースのトレーニングデータを介して各価値モデルをトレーニングして、トレーニング済みの価値モデルを取得するために用いられる。融合データ処理装置６００は、受信ユニット及び生成ユニットをさらに含む。
【０１２４】
受信ユニットは、第二システムからトレーニング済みの価値モデル及び対応するデータタイプを受信するために用いられる。
【０１２５】
生成ユニットは、受信したトレーニング済みの価値モデル及び対応するデータタイプに基づいて、価値モデルセットを生成するために用いられる。
【０１２６】
本発明の装置実施形態で説明される融合データ処理装置は、機能ユニットの形式で現れることに留意されたい。ここで使用する用語「ユニット」とは、可能な限り広い意味で理解されるべきであり、各「ユニット」が定める機能を実現するための対象は、例えば、集積回路（ＡＳＩＣ）、単一回路、１つ又は複数のソフトウェア又はファームウェアプログラムを実行するために用いられるプロセッサ（共有、専用、又はチップセット）及びメモリ、組み合わせ論理回路、及び/又は上記の機能を達成できる他の適切なコンポーネントであることができる。
【０１２７】
取得ユニット６０１は、受信機であることができる。使用ユニット６０２及び入力処理ユニット６０３は、プロセッサであることができる。
【０１２８】
本開示の実施形態は、さらに非一時的なコンピューター可読記憶媒体を提供する。非一時的なコンピューター可読記憶媒体は、電子データを交換するために用いられるコンピュータープログラムを格納する。コンピュータープログラムが実行されると、コンピューターが上述した方法実施形態に記載されたいかなる方法の一部又は全部のステップを実行することにする。コンピューターは、第一システムを含む。
【０１２９】
本発明の実施形態は、さらにコンピュータープログラム製品を提供する。コンピュータープログラム製品は、コンピュータープログラムを記憶した非一時的なコンピュータ可読記憶媒体を含む。コンピュータープログラムは、コンピューターが上述した方法実施形態に記載されたいかなる方法の一部又は全部のステップを実行することにする。コンピュータープログラム製品はソフトウェアインストールパッケージであることができ、コンピューターは第一システムを含む。
【０１３０】
簡単に説明するために、上述した方法実施形態は一連の動作組み合わせで説明されているが、当業者であれば、本発明は説明されている動作順序に限定されなく、本発明によれば、特定のステップは他の順序又は同時に実行することができると理解されるべきである。さらに、当業者であれば、本明細書に記載された実施形態は好ましい実施形態であり、関連する動作及びモジュールは必ず本発明にとって必須ではないと理解されるべきである。
【０１３１】
上述した実施形態において、各実施形態の説明には各自の重点がある。一実施形態において詳細に説明されていない部分は、他の実施形態の関連する説明を参照することができる。
【０１３２】
本発明によって提供される幾つかの実施形態において、開示される装置は、他の形態により実現され得ると理解されるべきである。例えば、上記に説明された装置の実施例は、例示するためのものに過ぎない。例えば、ユニットの分割は、ロジック機能の分割に過ぎず、実際に実現するときに別の分割形態を有してもよい。例えば、複数のユニット又は部品を組み合わせ、又は別のシステムに集積し、又は若干の特徴を無視し、又は実行しなくてもよい。さらに、図示又は検討する相互間の結合や直接結合や通信接続は、いくつかのインタフェース、装置、又はユニットの間接結合や通信接続であってもよいし、電気、機械や他の形態であってもよい。
【０１３３】
分離部品として記載されたユニットは、物理的に分離してもよいし、分離しなくてもよい。ユニットとして表示される部品は、物理的なユニットであってもよいし、物理的なユニットではなくておもよい。即ち、一つの箇所に設置してもよいし、複数のネットワークユニットに設置してもよい。実際の要求に応じて一部又は全部のユニットを選択して本実施例の技術方案の目的を実現することができる。
【０１３４】
また、本発明に係る各実施例の各機能ユニットは、１つの処理ユニットに統合されてもよいし、物理的に分離された複数のユニットとして存在してもよいし、２つ以上のユニットは１つのユニットに統合してもよい。上述した統合されたユニットは、ハードウェア又はソフトウェア機能ユニットの形式で実現することができる。
【０１３５】
統合されたユニットは、ソフトウェアの機能ユニットとして実現され、かつ、独立の製品として販売されたり使用されたりする場合、コンピュータ読み取り可能な記録媒体に記憶されてもよい。この理解によれば、本発明の技術方案について、本質的な部分、又は従来技術に貢献できた部分、又は該技術方案の全部又は一部は、ソフトウェア製品として表現され得る。このコンピュータソフトウェア製品は、記憶媒体に記憶されており、１つのコンピュータ（パソコン、サーバー、又はネットワーク機器などであってもよい）に本発明の各実施例に係る方法の全部又は一部の過程を実行するための複数のコマンドが含まれている。前記した記憶媒体は、ＵＳＢ（ユニバーサルシリアルバス）フラッシュディスク、フラッシュメモリー、読み取り専用メモリ（ＲＯＭ、Ｒｅａｄ−Ｏｎｌｙ Ｍｅｍｏｒｙ）、ランダムアクセスメモリ（ＲＡＭ、Ｒａｎｄｏｍ Ａｃｃｅｓｓ Ｍｅｍｏｒｙ）、リムーバブルハードディスク（ｒｅｍｏｖａｂｌｅ  ｈａｒｄ  ｄｉｓｋ）、磁気ディスク又は光ディスクなどの各種のプログラムコードを記憶可能な媒体を含むことができる。
【０１３６】
当業者であれば、上述した方法実施形態の全部又は一部のステップは、関連するハードウェアを命令するプログラムによって達成されてもよく、プログラムはコンピューター可読記憶媒体に格納されることができると理解されるべきである。記憶媒体は、フラッシュメモリ、読み取り専用メモリ（ＲＯＭ、Ｒｅａｄ−Ｏｎｌｙ Ｍｅｍｏｒｙ）、ランダムアクセスメモリ（ＲＡＭ、Ｒａｎｄｏｍ Ａｃｃｅｓｓ Ｍｅｍｏｒｙ）磁気ディスク又は光ディスクなどを含むことができる。
【図１−１】
2021502651.tif 000003
【図１−２】
2021502651.tif 000004
【図２】
2021502651.tif 000005
【図３】
2021502651.tif 000006
【図４】
2021502651.tif 000007
【図５】
2021502651.tif 000008
【図６】
2021502651.tif 000009
【国際調査報告】
2021502651.tif 000010
2021502651.tif 000011